(57)【特許請求の範囲】
【請求項１】
電流が流れる電気回路を有するスイッチ部と、
下方に向けて開かれた開口部を有し、前記電気回路を収容するケーシングと、
前記電気回路に電気的に接続された配線コードと、
前記開口部を覆う防塵カバーとを備える、防塵スイッチ装置において、
前記防塵カバーは、
前記配線コードを下方に引き出すための配線孔と、前記ケーシング内に浸入した水を前記配線孔に導くための導水路とを有し、
前記スイッチ部は、操作者に操作される操作部を有しており、
前記配線孔は、操作者から見て前記防塵カバーの奥側の部分に設けられており、
前記導水路は、操作者から見て手前側から奥側に向かうにつれて低くなるように構成されていることを特徴とする、防塵スイッチ装置。
【請求項２】
前記導水路は、前記配線孔に向かうにつれて低くなるように構成されている、請求項１に記載の防塵スイッチ装置。
【請求項３】
前記配線孔には、複数の前記配線コードが挿通されている、請求項１または２に記載の防塵スイッチ装置。
【請求項４】
前記配線コードを収容するコード保護チューブを備えており、
前記コード保護チューブは前記配線孔に配置されており、
前記導水路で前記配線孔に導かれた水は、前記コード保護チューブの内側に与えられる、請求項１ないし３のいずれか１項に記載の防塵スイッチ装置。
【請求項５】
前記防塵カバーは、前記配線孔を構成する筒状部を有しており、
前記筒状部には、前記筒状部を締め付けて内側に変形させるための締結部材が設けられている、請求項１ないし４のいずれか１項に記載の防塵スイッチ装置。
【発明の詳細な説明】
【技術分野】
【０００１】
本発明は、ケーシング内に浸入した水を排出する機能を有する非防水型の防塵スイッチ装置に関する。
【背景技術】
【０００２】
特許文献１には、従来の非防水型の防塵スイッチ装置が記載されている。この防塵スイッチ装置は、車両のハンドルバーに取り付けて使用されるものであり、操作スイッチが形成されたスイッチケースを備えている。スイッチケースは、その内部に浸入した水を外部に排出するための水抜き孔を有しており、水抜き孔には、水の透過を許容しつつ粉塵等の透過を抑制するためのフィルタが設けられている。
【先行技術文献】
【特許文献】
【０００３】
【特許文献１】特開２０１２−９１７０３号
【０００４】
従来の防塵スイッチ装置では、水抜き孔にフィルタが設けられていたので、部品点数が多くなって製造コストが高くなるという問題があった。また、特に、農業現場や建設現場などの粉塵等が発生し易い環境では、粉塵等がフィルタに詰まって排水性能が低下するという問題があった。
【発明の概要】
【０００５】
本発明は、上記問題に対処するためになされたものであり、製造コストを低減できるとともに、排水性能の低下を抑制できる防塵スイッチ装置を提供することを目的とする。
【０００６】
上記目的を達成するため、本発明に係る防塵スイッチ装置の特徴は、電流が流れる電気回路を有するスイッチ部と、下方に向けて開かれた開口部を有し、前記電気回路を収容するケーシングと、前記電気回路に電気的に接続された配線コードと、前記開口部を覆う防塵カバーとを備える、防塵スイッチ装置において、前記防塵カバーは、前記配線コードを下方に引き出すための配線孔と、前記ケーシング内に浸入した水を前記配線孔に導くための導水路とを有し、前記スイッチ部は、操作者に操作される操作部を有しており、前記配線孔は、操作者から見て前記防塵カバーの奥側の部分に設けられており、前記導水路は、操作者から見て手前側から奥側に向かうにつれて低くなるように構成されていることにある。
【０００７】
この構成によれば、ケーシング内に浸入した水を配線孔から排出することができるので、配線孔とは別に水抜き孔を設ける必要がない。また、配線孔から引き出された配線コードで配線孔からの粉塵等の浸入を阻止できるので、フィルタを設ける必要がない。したがって、製造コストを低減できるとともに、排水性能の低下を抑制できる。
【０００８】
この構成では、配線孔が操作者から見て防塵カバーの奥側の部分に設けられているので、配線コードを奥側に配置することができ、配線コードが操作の妨げになることを防止できる。
【０００９】
本発明の他の特徴は、前記導水路は、前記配線孔に向かうにつれて低くなるように構成されていることにある。
【００１０】
この構成によれば、ケーシング内に浸入した水を配線孔に効率よく導くことができる。
【００１１】
本発明の他の特徴は、前記配線孔には、複数の前記配線コードが挿通されていることにある。
【００１２】
この構成では、複数の配線コードの間から水を排出できるので、排水性を高めることができる。また、複数の配線コードで粉塵等の浸入を効果的に阻止できる。
【００１３】
本発明の他の特徴は、前記配線コードを収容するコード保護チューブを備えており、前記コード保護チューブは前記配線孔に配置されており、前記導水路で前記配線孔に導かれた水は、前記コード保護チューブの内側に与えられることにある。
【００１４】
この構成によれば、コード保護チューブの内面と配線コードの外面との間の隙間から水を排出できる。当該隙間には、粉塵等が浸入し難いので、防塵性を高めることができる。
【００１５】
本発明の他の特徴は、前記防塵カバーは、前記配線孔を構成する筒状部を有しており、前記筒状部には、前記筒状部を締め付けて内側に変形させるための締結部材が設けられていることにある。
【００１６】
この構成によれば、筒状部を内側に変形させて配線コードを挟持することができるので、電気回路と配線コードの接続部における断線を抑制できる。
【００１７】
なお、上記目的を達成するため、電流が流れる電気回路を有するスイッチ部と、下方に向けて開かれた開口部を有し、前記電気回路を収容するケーシングと、前記電気回路に電気的に接続された配線コードと、前記開口部を覆う防塵カバーとを備える、防塵スイッチ装置において、前記防塵カバーは、前記配線コードを下方に引き出すための配線孔と、前記ケーシング内に浸入した水を前記配線孔に導くための導水路とを有するようにしてもよい。
【図面の簡単な説明】
【００１８】
【図１】本発明の一実施形態に係る防塵スイッチ装置の構成を示す斜視図である。
【図２】防塵スイッチ装置の使用状態を示す正面図である。
【図３】防塵スイッチ装置の構成を示す縦断面図である。
【図４】防塵スイッチ装置の構成を示す分解斜視図である。
【発明を実施するための形態】
【００１９】
以下、本発明に係る防塵スイッチ装置について図面を参照しながら説明する。
【００２０】
図１は、本発明の一実施形態に係る防塵スイッチ装置１０の構成を示す斜視図である。図２は、防塵スイッチ装置１０の使用状態を示す正面図である。図１に示す防塵スイッチ装置１０は、機械装置の電気系統において、電流のオン/オフを切り換えたり、電流の流れる方向を切り換えたりするための電気部品であり、図２に示すように、機械装置のフレーム１２に固定して使用される。防塵スイッチ装置１０が用いられる機械装置の種類は、特に限定されるものではないが、農業機械や建設機械のような粉塵等の多い屋外環境下で使用される機械装置が適する。なお、以下の説明で用いる「手前、奥、上、下」の各方向は、防塵スイッチ装置１０を操作する操作者から見た方向を基準とし、図２および図３では、これらの各方向を矢印で示している。また、図２では、フレーム１２を二点鎖線で示している。
【００２１】
図１および図２に示すように、防塵スイッチ装置１０は、スイッチ部１４と、ケーシング１６と、複数の配線コード１８ａ〜１８ｇ（図１）と、コード保護チューブ２０と、防塵カバー２２とを備えている。
【００２２】
図３は、防塵スイッチ装置１０の構成を示す縦断面図である。図３に示すように、スイッチ部１４は、電流が流れる電気回路２６と、電気回路２６を支持する支持プレート２８と、操作者によって操作される第１操作部３０および第２操作部３２とを有している。第１操作部３０は、ホーンを鳴らすためのスイッチであり、操作者によって斜め下方に押される押しボタン３０ａを有している。第２操作部３２は、点灯させるランプを切り換えるためのスイッチであり、操作者によって横に移動されるレバー３２ａを有している。なお、第１操作部３０および第２操作部３２に関連付けられる電気機器は、適宜変更されてもよい。
【００２３】
図４は、防塵スイッチ装置１０の構成を示す分解斜視図である。図４に示すように、ケーシング１６は、スイッチ部１４を支持する部分であり、下方に向けて開かれた開口部３４を有するキャップ状のケーシング本体３６と、ケーシング本体３６の側部に互いに対向して形成された２つの固定片３８ａ，３８ｂとを有している。ケーシング１６の材質は、特に限定されるものではないが、本実施形態では、硬質プラスチックが用いられている。
【００２４】
図３に示すように、ケーシング本体３６は、第１操作部３０および第２操作部３２を支持するとともに、電気回路２６および支持プレート２８を収容する部分である。ケーシング本体３６の中央部には、貫通孔４０が形成されており、この貫通孔４０には、第１操作部３０が配置されている。ケーシング本体３６の外周部には、フレーム１２（図２）に当接される段差状の当接部４２が形成されており、ケーシング本体３６の下端部には、防塵カバー２２に嵌合される嵌合部４４が形成されている。さらに、ケーシング本体３６の内部には、図１に示す各配線コード１８ａ〜１８ｇを支持するための棒状の支持部４６が形成されている。
【００２５】
図４に示すように、固定片３８ａ，３８ｂは、嵌合部４４に嵌合された防塵カバー２２を外側から挟持する部分であり、ケーシング本体３６から下方に突出するように形成されている。
【００２６】
図１に示す各配線コード１８ａ〜１８ｇは、図３に示す電気回路２６に電気的に接続される電気配線コードであり、金属線を絶縁性樹脂で被覆することによって形成されている。各配線コード１８ａ〜１８ｇを束ねた状態において、それらの相互間には、水の流れを許容しつつ粉塵等の浸入を抑制できる程度の隙間が生じている。各配線コード１８ａ〜１８ｇは、電気機器（図示省略）に接続されているが、図１では、これらを途中で切断した状態を示している（他図において同じ）。
【００２７】
図４に示すように、コード保護チューブ２０は、各配線コード１８ａ〜１８ｇを収容して保護するものであり、可撓性を有する絶縁性樹脂によって管状に形成されている。本実施形態のコード保護チューブ２０は、上側のコード保護チューブ２０ａと、下側のコード保護チューブ２０ｂとに分けて形成されている。上側のコード保護チューブ２０ａは、帯状の第１締結部材４８を用いて支持部４６に固定されており、上側のコード保護チューブ２０ａと下側のコード保護チューブ２０ｂとの間には、ケーシング１６内に浸入した水を下側のコード保護チューブ２０ｂの内側に取り込むための取水口５２が設けられている。
【００２８】
図４に示すように、防塵カバー２２は、皿状のカバー本体５４と、カバー本体５４の底部５４ａに一体的に設けられた収容部５６と、収容部５６の底部５６ａに設けられた配線孔５８と、ケーシング１６内に浸入した水を配線孔５８に導くための導水路６０とを有している。なお、防塵カバー２２の材質は、特に限定されるものではないが、本実施形態では、ゴムやエラストマのようなゴム弾性を有するものが用いられている。
【００２９】
図４に示すように、カバー本体５４は、ケーシング１６の開口部３４を覆う部分である。カバー本体５４の周壁部５４ｂは、底部５４ａに対して垂直に形成されており、周壁部５４ｂの上部には、ケーシング本体３６の嵌合部４４に内側から嵌合される嵌合部６２が形成されている。また、カバー本体５４の周壁部５４ｂには、ケーシング１６の固定片３８ａ，３８ｂが嵌合される２つの溝部６４が形成されている。図３に示すように、カバー本体５４の上面、（すなわち防塵カバー２２の底面２２ａ）のうち導水路６０を除く部分は、奥側から手前側に向けて低くなるように傾斜しており、防塵カバー２２の手前側部分には、ケーシング１６内に浸入した水が集まる集水部Ｑが構成されている。
【００３０】
図４に示すように、収容部５６は、ケーシング１６の支持部４６を収容する部分であり、カバー本体５４の底部５４ａの奥側部分から斜め下方に突出して筒状に形成されている。配線孔５８は、各配線コード１８ａ〜１８ｇを防塵スイッチ装置１０の内部空間Ｓから下方に引き出すための開口である。本実施形態では、防塵カバー２２が、収容部５６の底部５６ａから斜め下方に突出して形成された筒状部６６を有しており、筒状部６６によって配線孔５８が構成されている。図１に示すように、筒状部６６には、これを締め付けて内側に変形させるための第２締結部材６８が設けられている。
【００３１】
図３に示すように、導水路６０は、ケーシング１６内に浸入した水を配線孔５８に導くための流路であり、カバー本体５４の底部５４ａに溝状に形成されている。導水路６０は、手前側から奥側に向かうにつれて低くなるように、すなわち配線孔５８に向かうにつれて低くなるように構成されている。したがって、ケーシング１６内に浸入した水は、ケーシング１６の内面１６ａなどを流下して防塵カバー２２の底面２２ａに与えられ、底面２２ａを手前側に流れて集水部Ｑに集められ、導水路６０を奥側に流れて配線孔５８に与えられる。
【００３２】
図４に示すように、防塵カバー２２をケーシング１６に接合する際には、まず、各配線コード１８ａ〜１８ｇおよびコード保護チューブ２０が防塵カバー２２の配線孔５８に挿通される。続いて、防塵カバー２２の嵌合部６２がケーシング１６の嵌合部４４に嵌合されるとともに、防塵カバー２２の２つの溝部６４にケーシング１６の固定片３８ａ，３８ｂが嵌合される。その後、図１に示すように、第２締結部材６８で筒状部６６が締め付けられて筒状部６６が内側に変形され、下側のコード保護チューブ２０ｂが筒状部６６に対して固定される。この固定状態において、下側のコード保護チューブ２０ｂの上端部は、配線孔５８に配置されている。
【００３３】
図２に示すように、防塵スイッチ装置１０をフレーム１２に取り付ける際には、ケーシング１６の当接部４２がフレーム１２の上面１２ａに当接され、ボルト等の固定具（図示省略）を用いてケーシング１６がフレーム１２に固定される。ケーシング１６がフレーム１２に固定された状態において、押しボタン３０ａの軸線Ｌは鉛直線に対して手前側に傾けられており、押しボタン３０ａは操作者側に向けられている。
【００３４】
機械装置を用いた脱穀などで粉塵等が舞い上がると、その粉塵等が、図１に示す防塵カバー２２の筒状部６６、下側のコード保護チューブ２０ｂおよび各配線コード１８ａ〜１８ｇなどに付着するが、図３に示す配線孔５８には各配線コード１８ａ〜１８ｇが挿通されているので、粉塵等は配線孔５８に浸入し難い。雨水等の水がケーシング１６内に浸入すると、その水は、図３に示す導水路６０を流れて配線孔５８に与えられ、各配線コード１８ａ〜１８ｇの相互間や、コード保護チューブ２０ｂの内面と各配線コード１８ａ〜１８ｇの外面との間の隙間を流れて外部に排出される。
【００３５】
本実施形態によれば、上記構成により以下の各効果を奏することができる。すなわち、ケーシング１６内に浸入した水を配線孔５８から排出することができるので、特別な水抜き孔は不要である。また、各配線コード１８ａ〜１８ｇで配線孔５８からの粉塵等の浸入を阻止できるので、特別なフィルタは不要である。したがって、製造コストを低減できるとともに、排水性能の低下を抑制できる。
【００３６】
図３に示すように、導水路６０は、配線孔５８に向かうにつれて低くなるように構成されているので、ケーシング１６内に浸入した水を配線孔５８に効率よく導くことができる。また、下側のコード保護チューブ２０ｂの内側に水路が構成されているので、当該水路からの粉塵等の浸入を効果的に阻止できる。
【００３７】
図３に示すように、筒状部６６を第２締結部材６８で締め付けて内側に変形させることによって、各配線コード１８ａ〜１８ｇ（図１）を挟持することができるので、電気回路２６と各配線コード１８ａ〜１８ｇ（図１）との接続部における断線を抑制できる。
【００３８】
図３に示すように、配線孔５８は、操作者から見て防塵カバー２２の奥側の部分に設けられているので、第１操作部３０および第２操作部３２を操作するときに、各配線コード１８ａ〜１８ｇ（図１）が操作の妨げになることを防止できる。
【００３９】
なお、本発明の実施にあたっては、上記実施形態に限定されず、本発明の目的を逸脱しない限りにおいて種々の変更が可能である。例えば、上記実施形態では、各配線コード１８ａ〜１８ｇを上側のコード保護チューブ２０ａおよび下側のコード保護チューブ２０ｂで保護するようにしているが、これらの一方または両方は省略されてもよい。また、上記実施形態では、上側のコード保護チューブ２０ａと下側のコード保護チューブ２０ｂとが分離して形成されているが、これらは連続して形成されてもよい。この場合、これらを連結する連結部分には、窓状の取水口が設けられてもよい。
【符号の説明】
【００４０】
１０…防塵スイッチ装置、１２…フレーム、１４…スイッチ部、
１８ａ〜１８ｇ…配線コード、２０…コード保護チューブ、２２…防塵カバー、
２６…電気回路、３４…開口部、５８…配線孔、６０…導水路、６６…筒状部
【図１】
0006626658.tif 000002
【図２】
0006626658.tif 000003
【図３】
0006626658.tif 000004
【図４】
0006626658.tif 000005